(57)【要約】      （修正有）【課題】走査線を用いることなく、安価なタッチコントロールモジュールを提供する。【解決手段】遮蔽層２２は、透明基板２１の第２の面２１２の表面を覆っている。タッチコントロール電極２３は、透明基板２１の第２の面２１２の表面を覆い、遮蔽層２２の透明基板２１に相対するもう一方の面を覆っている。透光絶縁層２４は、タッチコントロール電極２３の遮蔽層２２に対する反対側に設けられている。タッチコントロール電極２３の端部を覆い、遮蔽層２２まで延伸している。タッチコントロール電極２３上に少なくとも一つの穿孔２４１を形成している。導線層２５は、透光絶縁層２４のタッチコントロール電極２３に対する反対側に設けられている。導線層２５は、透光絶縁層２４上に設けられると、導線層２５が穿孔２４１内に導通部２５１を形成してタッチコントロール電極２３と導通する。【選択図】図３
0003182379.tif 000002
【実用新案登録請求の範囲】
【請求項１】
第１の面、および前記第１の面の反対側にある第２の面を有する透明基板と、
前記透明基板の前記第２の面の表面を覆っている遮蔽層と、
前記透明基板の前記第２の面の表面を覆い、前記遮蔽層の前記透明基板に相対するもう一方の面を覆っているタッチコントロール電極と、
前記タッチコントロール電極の前記遮蔽層に対する反対側に設けられ、前記タッチコントロール電極上に少なくとも一つの穿孔を有する透光絶縁層と、
前記透光絶縁層の前記タッチコントロール電極に対する反対側に設けられ、前記穿孔内に導通部を有し、前記タッチコントロール電極と導通する導線層と、を含むことを特徴とするタッチコントロールモジュール。
【請求項２】
前記透光絶縁層は、前記タッチコントロール電極の端部を覆い、前記遮蔽層まで延伸していることを特徴とする請求項１に記載のタッチコントロールモジュール。
【請求項３】
前記導線層の前記透光絶縁層に対する反対側に設けられている導電フィルムをさらに含むことを特徴とする請求項１に記載のタッチコントロールモジュール。
【請求項４】
前記導電フィルムを介して前記導線層に粘着導通しているフレキシブルプリント基板をさらに含むことを特徴とする請求項３に記載のタッチコントロールモジュール。
【請求項５】
前記タッチコントロール電極は、ゲルの塗布、電気鍍金、蒸着またはスパッタのうちの任意の一つにより形成される薄膜で、ＩＴＯ、ＡＴＯまたはＩＺＯのうちの任意の一つであることを特徴とする請求項１に記載のタッチコントロールモジュール。
【請求項６】
前記タッチコントロール電極は、前記透明基板に対する反対側に保護層２８を設けていることを特徴とする請求項１に記載のタッチコントロールモジュール。
【請求項７】
前記透明基板は、材料がガラス、ＰＥＴ、ＰＣ、ＰＥ、ＰＶＣ、ＰＰ、ＰＳ、ＰＭＭＡ、ＣＯＣのうちの任意の一つであることを特徴とする請求項１に記載のタッチコントロールモジュール。
【考案の詳細な説明】
【技術分野】
【０００１】
本考案は、タッチコントロールモジュールに関し、特に、走査線を用いないタッチコントロールモジュールに関する。
【背景技術】
【０００２】
情報技術およびインターネットの急速な発展にともない、電子情報製品も徐々に普及し始め、タッチパネルも急速に発達してきた。従来のタッチパネルは、感応原理により以下の４種類に分けることができる。抵抗膜方式、静電容量方式、電磁誘導方式および光学式である。そのうち、静電容量方式は、防塵、防水、高い表示画像品質などの特性により広範に用いられている。静電容量方式タッチパネルは、静電容量の変化に基づき、タッチポイントを割り出す原理であるが、指などの導電体が電極との間に発生する静電容量の変化によりタッチポイントの座標を算出する。
【０００３】
静電容量方式タッチパネルは、徐々にタッチコントロール技術の主流となり、携帯電話、タブレット、ポータブルオーディオプレーヤー、携帯型電子装置、ディスプレイ、防犯ビデオカメラなど各種電子機器に用いられるようになった。静電容量方式タッチパネルを用いたこれらの電子機器は、人体のわずかな電流が起こす静電容量変化を感知し、指の位置およびタッチ状態を算出し、タッチコントロールの目的を達成する。
【０００４】
以下、従来技術を図面に基づいて説明する。図１を参照する。図１は、従来の静電容量方式タッチパネルを示す断面図である。図１に示すように、従来の静電容量方式タッチパネルは、第１の透明基板１０および第２の透明基板１１を含む。第１の透明基板１０は、タッチコントロール感知線路層１２および導線層１３を一方の面に設けている。タッチコントロール感知線路層１２は、導線層１３と電気的に接続している。また、タッチコントロール感知線路層１２は、単層のタッチコントロール感知線路である。導線層１３は、絶縁層１４をもう一方の面に設けている。絶縁層１４は、導線層１３を局部的に覆っている。導線層１３の絶縁層１４に覆われていない部分には、導電フィルム１５が設けられている。導電フィルム１５は、もう一方の面にフレキシブルプリント基板１６を設けている。フレキシブルプリント基板１６は、導電フィルム１５を介して導線層１３と電気的に接続している。タッチコントロール感知線路層１２および絶縁層１４が第１の透明基板１０に対して反対側の面に光学フィルム１７が設けられている。タッチコントロール感知線路層１２は、光学フィルム１７上に貼着している。これにより、タッチコントロール感知線路層１２が光学フィルム１７に対して反対側の面が静電容量方式タッチパネルのタッチパネル面になる。また、タッチコントロール感知線路層１２、導線層１３および導電フィルム１５を保護することができる。
【０００５】
従来の静電容量方式タッチパネルは、表示エリア、および表示エリア周辺の周辺エリアとに分けられるのが一般的である。タッチコントロール感知線路層１２は、表示エリアに設けられ、タッチコントロール感知信号を発信する。周辺エリアには、導線層１３および導電フィルム１５が設けられ、タッチコントロール感知信号を信号処理器に送信し、演算を行わせる。これにより、タッチポイントの座標が確定される。
【０００６】
導線層１３が周辺エリアに走査線を設ける場合、表示エリアのタッチコントロール感知線路層１２と相互に連接しなければならなかった。この際、導線層１３の走査線をそれぞれ対応するタッチコントロール感知線路層１２に接続しなければ、フォトマスクまたはフォトリソグラフィにより導線層１３の走査線が形成される。フォトマスクの治具設計またはフォトリソグラフィは、設備にかかるコストが非常に高く、相対的に全体の製造コストも上昇させてしまう。また、これらの工程で用いられる成分および現像液は、人体に悪影響を与えるもので、作業員の健康を害するばかりか、環境を汚染してしまう恐れもある。そればかりか、第２の透明基板１１およびタッチコントロール感知線路層１２は、光学フィルム１７により貼着されるが、ずれたり、完全に貼着されなかったりと不良品が生産されることもあった。
【０００７】
以上のように、従来技術には、以下の二つの短所があった。１、生産コストが高かった。２、不良品が生産された。本考案は、この二つの短所を改善するものである。
【考案の概要】
【考案が解決しようとする課題】
【０００８】
本考案の第１の目的は、フォトマスクの治具設計またはフォトリソグラフィを用いずに製造コストを削減するタッチコントロールモジュールを提供することにある。
本考案の第２の目的は、透明基板間の貼着を用いずに歩留まり率を向上させるタッチコントロールモジュールを提供することにある。
【課題を解決するための手段】
【０００９】
上述の目的を達成するため、本考案は、タッチコントロールモジュールを提供する。本考案のタッチコントロールモジュールは、透明基板、遮蔽層、タッチコントロール電極、透光絶縁層および導線層を含む。透明基板は、第１の面、および第１の面の反対側にある第２の面を有する。遮蔽層は、透明基板の第２の面の表面を覆っている。タッチコントロール電極は、透明基板の第２の面の表面を覆い、遮蔽層の透明基板に相対するもう一方の面を覆っている。透光絶縁層は、タッチコントロール電極の遮蔽層に対する反対側に設けられている。タッチコントロール電極の端部を覆い、遮蔽層まで延伸している。タッチコントロール電極上に少なくとも一つの穿孔を形成している。導線層は、透光絶縁層のタッチコントロール電極に対する反対側に設けられている。導線層は、透光絶縁層上に設けられると、導線層が穿孔内に導通部１を形成してタッチコントロール電極と導通する。
【考案の効果】
【００１０】
本考案のタッチコントロールモジュールは、導線層が透光絶縁層の穿孔を介して直接タッチコントロール電極に導通することができる。そのため、フォトマスクの治具を設計およびフォトリソグラフィにかかるコストを削減することができる。また、基板が完全に貼着されず、不良品が生産されることを防ぐことができる。
【図面の簡単な説明】
【００１１】
【図１】従来の静電容量方式タッチパネルを示す断面図である。
【図２】本考案の第１の実施形態によるタッチパネルを示す正面図である。
【図３】本考案の第１の実施形態によるタッチパネルを示す断面図である。
【図４】本考案の第２の実施形態によるタッチパネルを示す断面図である。
【考案を実施するための形態】
【００１２】
以下、本考案の実施形態を図面に基づいて説明する。
【００１３】
図２および図３を参照する。図２は、本考案の第１の実施形態によるタッチパネルを示す正面図である。図３は、本考案の第１の実施形態によるタッチパネルを示す断面図である。図２および図３に示すように、本考案のタッチコントロールモジュール２０は、透明基板２１、遮蔽層２２、タッチコントロール電極２３、透光絶縁層２４および導線層２５を含む。透明基板２１は、第１の面２１１、および第１の面２１１の反対側にある第２の面２１２を有する。本実施形態の透明基板２１は、材料がガラスであるが、これに限定されるものではない。例えば、ＰＥＴ、ＰＣ、ＰＥ、ＰＶＣ、ＰＰ、ＰＳ、ＰＭＭＡ、ＣＯＣのうちの一つを選択することもできる。
【００１４】
遮蔽層２２は、透明基板２１の第２の面２１２の表面を覆いっている。透明基板２１上で遮蔽層２２に覆われていない部分がタッチエリアである。覆われている部分が非タッチエリアであり、覆ったり隠したりするの作用を提供する。本実施形態において、遮蔽層２２は、例えば、不透明（透光）で、絶縁の材料をプリントしたり、塗布したりしてもよい。
【００１５】
タッチコントロール電極２３は、透明基板２１の第２の面２１２の表面を覆い、遮蔽層２２の透明基板２１に相対するもう一方の面を覆っている。タッチコントロール電極２３は、局部的に遮蔽層２２を覆い、遮蔽層２２の周縁は覆われていない。タッチコントロール電極２３は、ＩＴＯ、ＡＴＯまたはＩＺＯ薄膜を材料としている。タッチコントロール電極２３は、好適な実施例において、スパッタにより第２の面２１２上に形成されるが、これに限定されるものではない。ゲルの塗布、電気鍍金または蒸着を選択して第２の面２１２上に形成してもよい。
【００１６】
透光絶縁層２４は、タッチコントロール電極２３の遮蔽層２２に対する反対側に設けられている。透光絶縁層２４は、タッチコントロール電極２３の端部を覆い、遮蔽層２２まで延伸している。透光絶縁層２４は、タッチコントロール電極２３上に少なくとも一つの穿孔２４１を形成している。本実施形態において、遮蔽層２２は、例えば、透明（透光）または不透明（透光）のどちらかで、絶縁の材料をプリントしたり、塗布したりしてもよい。タッチコントロール電極２３には、穿孔２４１が穿設けられている。
【００１７】
導線層２５は、透光絶縁層２４のタッチコントロール電極２３に対する反対側に設けられている。導線層２５は、銀ペースト、銅、モリブデンなどの材料からなる。本実施形態において、銀ペーストを用いるが、プリント工程により透光絶縁層２４上にプリントする。その他の金属の場合、プリントまたはフォトリソグラフィにより形成される。導線層２５は、透光絶縁層２４上に設けられると、導線層２５が穿孔２４１内に導通部２５１を形成してタッチコントロール電極２３と導通する。導通部２５１は、銀ペースト、銅、モリブデンなどの材料からなる。本実施形態において、導線層２５および導通部２５１は、銀ペーストを用いる。これにより、導線層２５は、透光絶縁層２４の穿孔２４１を介して直接タッチコントロール電極２３に導通することができる。そのため、フォトマスクの治具を設計およびフォトリソグラフィにかかるコストを削減することができ、基板が完全に貼着されず、不良品が生産されることを防ぐことができる。
【００１８】
タッチコントロールモジュール２０は、導電フィルム２６をさらに含む。導電フィルム２６は、導線層２５の透光絶縁層２４に対する反対側に設けられている。導電フィルム２６は、ＡＣＦまたはＡＣＰである。導電フィルム２６は、フレキシブルプリント基板２７に粘着導通している。フレキシブルプリント基板２７は、導電フィルム２６の導線層２５に対する反対側に設けられ、導電フィルム２６を介して導線層２５に粘着導通している。
【００１９】
図４を参照する。図４は、本考案の第２の実施形態によるタッチパネルを示す断面図である。図４に示すように、第２の実施形態は、上記の第１の実施形態とほぼ同様であるため、異なる部分のみ説明を加える。タッチコントロール電極２３の透明基板２１に対する反対側に保護層２８が設けられている。保護層２８は、タッチコントロール電極２３を覆っているか、タッチコントロール電極２３および導線層２５（図示せず）を覆っている。本実施形態において、保護層２８がタッチコントロール電極２３を覆っているが、その目的は、タッチコントロール電極２３が化学的または物理的なダメージを受けるのを防ぐためである。保護層２８の材料は、例えば、窒化シリコン、酸化シリコンなどの無機物、またはアクリル樹脂などの有機物である。
【００２０】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案登録請求の範囲で指定した内容を基準とする。
【符号の説明】
【００２１】
１０    第１の透明基板
１１    第２の透明基板
１２    タッチコントロール感知線路層
１３    導線層
１４    絶縁層
１５    導電フィルム
１６    フレキシブルプリント基板
１７    光学フィルム
２０    タッチコントロールモジュール
２１    透明基板
２２    遮蔽層
２３    タッチコントロール電極層
２４    透光絶縁層
２５    導線層
２６    導電フィルム
２７    フレキシブルプリント基板
２８    保護層
２１１  第１の面
２１２  第２の面
２４１  穿孔
２５１  導通部
【図１】
0003182379.tif 000003
【図２】
0003182379.tif 000004
【図３】
0003182379.tif 000005
【図４】
0003182379.tif 000006